【手続補正書】
【提出日】平成23年7月5日(2011.7.5)
【手続補正１】
【補正対象書類名】特許請求の範囲
【補正対象項目名】全文
【補正方法】変更
【補正の内容】
【特許請求の範囲】
【請求項１】
画素毎に光電変換により画像信号を生成する撮像素子と、
前記撮像素子からの前記画像信号を処理して動画像信号を出力する信号処理手段と、
前記信号処理手段から出力された前記動画像信号を画面内符号化及び画面間予測符号化によって符号化して、Ｉピクチャ、Ｐピクチャ、及びＢピクチャを含む符号化された動画像データを生成する符号化手段と、
前記符号化手段によって前記符号化された動画像データの生成を行っている際に、静止画の記録指示を検出したことに応じて、前記信号処理手段から出力された前記動画像信号におけるフィールド画像に適応的なフィールド補間を行ってプログレッシブ画像を生成するＩＰ（インタレース・プログレッシブ）変換を行うＩＰ変換手段と、
前記ＩＰ変換手段による前記ＩＰ変換と前記符号化手段による前記Ｂピクチャの符号化とが重複する場合は、前記Ｂピクチャから、直後のＩピクチャまたはＰピクチャにずらしたタイミングのフィールド画像を用いて前記ＩＰ変換を行うように前記ＩＰ変換手段の処理シーケンスを制御するシーケンス制御手段と、
を備えることを特徴とする撮像装置。
【請求項２】
前記撮像素子は、前記静止画の記録指示に応答して静止画駆動を行って、動画像信号のときよりも高画素の画像信号を出力するものであって、前記ＩＰ変換手段による前記ＩＰ変換と前記符号化手段による前記Ｂピクチャの符号化とが重複する場合は、前記ＩＰ変換されるフィールド画像に合わせて前記静止画駆動のタイミングを遅延させることを特徴とする請求項１に記載の撮像装置。
【請求項３】
画素毎に光電変換により画像信号を生成する撮像素子と、
前記撮像素子からの前記画像信号を処理して動画像信号を出力する信号処理手段と、
前記信号処理手段から出力された前記動画像信号を画面内符号化及び画面間予測符号化によって符号化して、Ｉピクチャ、Ｐピクチャ、及びＢピクチャを含む符号化された動画像データを生成する符号化手段と、
前記符号化手段によって前記符号化された動画像データの生成を行っている際に、静止画の記録指示を検出したことに応じて、前記信号処理手段から出力された前記動画像信号におけるフィールド画像に適応的なフィールド補間を行ってプログレッシブ画像を生成するＩＰ（インタレース・プログレッシブ）変換を行うＩＰ変換手段と、
前記ＩＰ変換手段による前記ＩＰ変換と前記符号化手段による前記Ｂピクチャの符号化とが重複する場合は、前記ＩＰ変換の処理対象となる２枚のフィールド画像をメモリに保持し、前記Ｂピクチャの符号化が終了してから前記メモリに保持した２枚のフィールド画像を用いて前記ＩＰ変換を行うように前記ＩＰ変換手段の処理シーケンスを制御するシーケンス制御手段と、
を備えることを特徴とする撮像装置。
【手続補正２】
【補正対象書類名】明細書
【補正対象項目名】００１３
【補正方法】変更
【補正の内容】
【００１３】
上記目的を達成するために、本発明による撮像装置は、画素毎に光電変換により画像信号を生成する撮像素子と、前記撮像素子からの前記画像信号を処理して動画像信号を出力する信号処理手段と、前記信号処理手段から出力された前記動画像信号を画面内符号化及び画面間予測符号化によって符号化して、Ｉピクチャ、Ｐピクチャ、及びＢピクチャを含む符号化された動画像データを生成する符号化手段と、前記符号化手段によって前記符号化された動画像データの生成を行っている際に、静止画の記録指示を検出したことに応じて、前記信号処理手段から出力された前記動画像信号におけるフィールド画像に適応的なフィールド補間を行ってプログレッシブ画像を生成するＩＰ（インタレース・プログレッシブ）変換を行うＩＰ変換手段と、前記ＩＰ変換手段による前記ＩＰ変換と前記符号化手段による前記Ｂピクチャの符号化とが重複する場合は、前記Ｂピクチャから、直後のＩピクチャまたはＰピクチャにずらしたタイミングのフィールド画像を用いて前記ＩＰ変換を行うように前記ＩＰ変換手段の処理シーケンスを制御するシーケンス制御手段とを備えることを特徴とする。
【手続補正３】
【補正対象書類名】明細書
【補正対象項目名】００１４
【補正方法】変更
【補正の内容】
【００１４】
また、本発明による撮像装置は、画素毎に光電変換により画像信号を生成する撮像素子と、前記撮像素子からの前記画像信号を処理して動画像信号を出力する信号処理手段と、前記信号処理手段から出力された前記動画像信号を画面内符号化及び画面間予測符号化によって符号化して、Ｉピクチャ、Ｐピクチャ、及びＢピクチャを含む符号化された動画像データを生成する符号化手段と、前記符号化手段によって前記符号化された動画像データの生成を行っている際に、静止画の記録指示を検出したことに応じて、前記信号処理手段から出力された前記動画像信号におけるフィールド画像に適応的なフィールド補間を行ってプログレッシブ画像を生成するＩＰ（インタレース・プログレッシブ）変換を行うＩＰ変換手段と、前記ＩＰ変換手段による前記ＩＰ変換と前記符号化手段による前記Ｂピクチャの符号化とが重複する場合は、前記ＩＰ変換の処理対象となる２枚のフィールド画像をメモリに保持し、前記Ｂピクチャの符号化が終了してから前記メモリに保持した２枚のフィールド画像を用いて前記ＩＰ変換を行うように前記ＩＰ変換手段の処理シーケンスを制御するシーケンス制御手段とを備えることを特徴とする。
【手続補正４】
【補正対象書類名】明細書
【補正対象項目名】００１５
【補正方法】変更
【補正の内容】
【００１５】
本発明の撮像装置によれば、静止画と動画とを同時撮影する際に、静止画を高精細化することができるばかりでなく、動画のフレームレートを保持することができる。
【手続補正５】
【補正対象書類名】明細書
【補正対象項目名】００２１
【補正方法】変更
【補正の内容】
【００２１】
ＩＰ（インタレース・プログレッシブ）変換部１０６は、信号処理部１０５からの出力である現フィールド画像とメモリ１１２から読み出す前フィールド画像のいずれか一方に応じて、適応的に他方のフィールド画像を補間してプログレッシブ画像を生成する。
【手続補正６】
【補正対象書類名】明細書
【補正対象項目名】００４０
【補正方法】変更
【補正の内容】
【００４０】
図３において、同時記録処理では、通常動画撮影中に、同時記録トリガが検出されたか否かを判定する（ステップＳ３０１）。同時記録トリガが検出されないと（ステップＳ３０１において、ＮＯ）、通常動画撮影が継続される（ステップＳ３０２）。同時記録トリガが検出されると（ステップＳ３０１において、ＹＥＳ）、ＩＰ変換がＢピクチャと重複するか否かを判定する（ステップＳ３０３）。重複する場合は（ステップＳ３０３において、ＹＥＳ）、センサ１０２の静止画駆動を１フィールド遅らせて通常動画撮影を行う（ステップＳ３０４）。
【手続補正７】
【補正対象書類名】明細書
【補正対象項目名】００４１
【補正方法】変更
【補正の内容】
【００４１】
続いて、静止画蓄積、読み出し処理（ステップＳ３０５）、信号処理（ステップＳ３０６）の後、動画処理として、リサイズ処理（ステップＳ３０７）、ＮＲ処理（ステップＳ３０８）、符号化処理（ステップＳ３０９）、記録処理（ステップＳ３１０）を行う。
【手続補正８】
【補正対象書類名】明細書
【補正対象項目名】００４４
【補正方法】変更
【補正の内容】
【００４４】
図４において、まず、動き判定（ステップＳ４０１）を画素単位で行い、動きと判定された場合はフィールド内からフィールド補間（ステップＳ４０２）が行われる。静止と判定された場合は全フィールドからフィールド補間（ステップＳ４０３）が行われる。
【手続補正９】
【補正対象書類名】明細書
【補正対象項目名】００６０
【補正方法】変更
【補正の内容】
【００６０】
動画処理として、リサイズ処理（ステップＳ８０７）、ＮＲ処理（ステップＳ８０８）、符号化処理（ステップＳ８０９）、記録処理（ステップＳ８１０）を行う。